【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
コンテンツを保持するコンテンツ情報と、コンテンツ情報の集合を階層構造で管理するコンテンツ集合情報とを処理する情報処理装置において、
コンテンツ情報、又はコンテンツ集合情報間の関連付けにより階層構造を形成可能なコンテンツ集合情報の入力を受け付ける入力受付手段と、
前記入力受付手段により入力された前記コンテンツ情報又は前記コンテンツ集合情報と、所定のコンテンツ情報又はコンテンツ集合情報とを対応付けて、記憶手段に登録するために出力する対応出力手段と、
前記対応出力手段による対応付けにより前記所定のコンテンツ情報又はコンテンツ集合情報を含めて形成されたツリー構造を構成する前記コンテンツ情報、前記コンテンツ集合情報から、該ツリー構造に含まれる任意のコンテンツ情報又はコンテンツ集合情報を利用者からの要求に基づいて出力するコンテンツ出力手段と、
を備えたこと特徴とする情報処理装置。
【請求項２】
前記入力受付手段は、前記コンテンツ情報の入力を受け付ける際、さらに前記コンテンツ情報を管理するコンテンツ集合情報を識別するコンテンツ集合識別情報の入力を受け付け、
前記対応出力手段は、前記入力受付手段により受け付けられた前記コンテンツ情報を、前記入力受付手段により受け付けられた前記コンテンツ集合識別情報により識別される前記コンテンツ集合情報に対応付けて、前記記憶手段に登録するために出力すること、
を特徴とする請求項１に記載の情報処理装置。
【請求項３】
前記入力受付手段は、第１の前記コンテンツ集合情報の入力を受け付ける際、さらに前記コンテンツ集合情報との親子関係で親となる第２のコンテンツ集合情報を識別するコンテンツ集合識別情報の入力を受け付け、
前記対応出力手段は、前記入力受付手段により受け付けられた第１の前記コンテンツ集合情報を子とし、前記入力受付手段により受け付けられた前記コンテンツ集合識別情報により識別される第２のコンテンツ集合情報を親として、前記記憶手段に登録するために対応付けて出力すること、
を特徴とする請求項１に記載の情報処理装置。
【請求項４】
前記入力受付手段は、所定の種類のコンテンツ情報の入力を受け付け、
前記対応出力手段は、所定の種類のコンテンツ情報を管理する所定種類コンテンツ集合情報に、前記入力受付手段により受け付けられた前記コンテンツ情報を対応付けて、前記記憶手段に登録するために出力すること、
を特徴とする請求項１に記載の情報処理装置。
【請求項５】
前記入力受付手段は、さらに、前記対応出力手段により任意のコンテンツ集合情報の子として対応付けられた子コンテンツ集合情報を他のコンテンツ集合情報の子とする移動の入力を受け付け、
前記入力受付手段により入力された前記子コンテンツ集合情報を、前記他のコンテンツ集合情報の子とする対応付けを、前記記憶手段に登録するための出力し、前記子コンテンツ集合情報と、前記任意のコンテンツ集合情報との対応付けを削除する要求を出力する移動対応出力手段と、
をさらに備えたことを特徴とする請求項１に記載の情報処理装置。
【請求項６】
前記移動対応出力手段により前記他のコンテンツ集合情報と、前記子コンテンツ集合情報とを対応付ける場合、前記他のコンテンツ集合情報に対応付けられた所定の情報を、前記子コンテンツ集合情報に対応付けられた所定の情報に、設定する移動情報承継手段と、
をさらに備えたことを特徴とする請求項５に記載の情報処理装置。
【請求項７】
前記コンテンツ情報又は前記コンテンツ集合情報に対応付けられた所定の情報が所定の条件を満足するか否か判断し、該所定の条件を満足する前記所定の情報と対応付けられた前記コンテンツ情報又は前記コンテンツ集合情報を抽出する対応情報抽出手段と、をさらに備え、
前記コンテンツ出力手段は、前記対応情報抽出手段により抽出された前記コンテンツ情報又は前記コンテンツ集合情報を出力すること、
を特徴とする請求項１乃至６のいずれか１つに記載の情報処理装置。
【請求項８】
前記コンテンツ出力手段は、利用者からの要求により、該利用者に対してアクセスを許可するアクセス権が設定された許可コンテンツ集合情報を出力する際に、該許可コンテンツ集合情報を含めて形成されたツリー構造を構成するコンテンツ集合情報、及び該ツリー構造を構成する該コンテンツ集合情報が管理しているコンテンツ情報のうち少なくとも１つ以上を、該コンテンツ集合情報又は該コンテンツ情報に設定されているアクセス権によらず出力すること、
を特徴とする請求項１乃至７のいずれか１つに記載の情報処理装置。
【請求項９】
前記コンテンツ出力手段は、前記許可コンテンツ集合情報を出力する際に、前記ツリー構造を形成するコンテンツ集合情報であり、前記許可コンテンツ集合情報を基準に所定の範囲の階層に含まれたコンテンツ集合情報、及び所定の範囲の階層に含まれた該コンテンツ集合情報が管理しているコンテンツ情報のうち少なくとも１つ以上を、該コンテンツ集合情報又は該コンテンツ情報に設定されているアクセス権によらず出力すること、
を特徴とする請求項８に記載の情報処理装置。
【請求項１０】
コンテンツ集合情報毎に対応付けられた利用者識別情報と、前記対応出力手段によるコンテンツ集合情報間の対応付けにより形成されたツリー構造に基づいて、利用者識別情報により識別される利用者間の対応付けを示した利用者ツリー構造を生成する利用者構造生成手段と、をさらに備えたことを特徴とする請求項１に記載の情報処理装置。
【請求項１１】
利用者により入力された検索条件に基づいて、前記コンテンツ情報及び前記コンテンツ集合情報のうち少なくとも１つ以上を検索する検索手段と、
前記コンテンツ出力手段は、さらに前記検索手段により検索された前記コンテンツ情報及び前記コンテンツ集合情報を出力する際、前記対応出力手段による対応付けで、検索された前記コンテンツ情報又はコンテンツ集合情報を含めて形成されたツリー構造を構成する前記コンテンツ情報、前記コンテンツ集合情報から任意の情報を取得して出力すること、
を特徴とする請求項１乃至１０のいずれか１つに記載の情報処理装置。
【請求項１２】
前記検索手段は、さらに所定のコンテンツ集合情報及び所定のコンテンツ集合情報が管理しているコンテンツ情報から検索条件を抽出し、抽出した該検索条件で前記コンテンツ情報及びコンテンツ集合情報のうちすくなくとも１つ以上を検索すること、
を特徴とする請求項１１に記載の情報処理装置。
【請求項１３】
前記コンテンツ出力手段は、前記検索手段により検索された前記コンテンツ情報及びコ
ンテンツ集合情報を出力する際、前記対応出力手段による対応付けで、検索された前記コンテンツ情報、前記コンテンツ集合情報を含めて形成されたツリー構造を構成する前記コンテンツ情報、前記コンテンツ集合情報のうち、利用者のアクセスの許可が設定されているコンテンツ情報及びコンテンツ集合情報の少なくとも１つ以上を出力すること、
を特徴とする請求項１１又は１２に記載の情報処理装置。
【請求項１４】
前記コンテンツ出力手段は、前記コンテンツ情報及び前記コンテンツ集合情報が保持している、前記コンテンツ情報又は前記コンテンツ集合情報を生成した利用者を識別する生成者識別情報、又は前記コンテンツ情報又は前記コンテンツ集合情報に対応する所定の処理を行う対象となる利用者を識別する処理者識別情報が、前記コンテンツ情報及び前記コンテンツ集合情報の取得を要求した利用者を識別する利用者識別情報と一致した場合、一致した前記コンテンツ情報及び前記コンテンツ集合情報を出力すること、
を特徴とする請求項１に記載の情報処理装置。
【請求項１５】
前記対応出力手段による対応付けで、前記所定のコンテンツ集合情報を含めて形成されたツリー構造を構成する各前記コンテンツ集合情報に対応付けられた所定の情報として保持される値を集計し、集計された異なる値毎のカウント数を取得する集計ステップと、をさらに備え、
前記コンテンツ出力手段は、さらに前記集計手段により取得した異なる値毎のカウント数を出力すること、
を特徴とする請求項１に記載の情報処理装置。
【請求項１６】
利用者識別情報と、更新された日時と、更新されたコンテンツ情報又はコンテンツ集合情報を識別する識別情報を対応付けた利用者更新対応情報から、所定の期間内に更新されたコンテンツ情報毎及びコンテンツ集合情報毎のどちらか１つ以上の更新頻度を抽出する更新頻度抽出手段と、をさらに備え、
前記コンテンツ出力手段は、前記更新頻度抽出手段により抽出された前記更新頻度が所定の基準を満足した場合、該所定の基準を満足した更新頻度に対応する前記コンテンツ情報及び前記コンテンツ集合情報のうちどちらか１つ以上を取得すること、
を特徴とする請求項１に記載の情報処理装置。
【請求項１７】
利用者が指定した前記コンテンツ情報及びコンテンツ集合情報のうち少なくとも１つ以上を、監視する対象を管理する監視コンテンツ集合情報に、登録する登録手段と、
前記登録手段により登録された前記監視コンテンツ集合情報が管理している前記コンテンツ情報又は前記コンテンツ集合情報に対応付けられた所定の情報の更新を検出する監視手段と、を備え、
前記コンテンツ出力手段は、前記監視手段により前記コンテンツ情報又は前記コンテンツ集合情報に対応付けられた所定の情報の更新を検出した場合、更新を検出した所定の情報に対応付けられたコンテンツ情報又はコンテンツ集合情報を出力すること、
を特徴とする請求項１に記載の情報処理装置。
【請求項１８】
利用者により入力された検索条件を登録する条件登録手段と、
所定期間毎に、前記条件登録手段により登録された前記登録条件で、コンテンツ情報、コンテンツ集合情報のうち少なくとも１つ以上を検索する定期検索手段と、
をさらに備えたことを特徴とする請求項１に記載の情報処理装置。
【請求項１９】
情報処理装置からコンテンツ情報、コンテンツ情報を階層構造で管理するコンテンツ集合情報と、該コンテンツ集合情報間の階層構造を入力処理する入力処理手段と、
前記入力処理手段により入力された前記コンテンツ情報、前記コンテンツ集合情報を、前記コンテンツ情報及び前記コンテンツ集合情報を階層構造で表示する表示処理手段と、
を備えたことを特徴とする情報表示装置。
【請求項２０】
コンテンツを保持するコンテンツ情報と、コンテンツ情報の集合を階層構造で管理するコンテンツ集合情報とを処理する情報処理方法において、
コンテンツ情報、又はコンテンツ集合情報間の関連付けにより階層構造を形成可能なコンテンツ集合情報の入力を受け付ける入力受付ステップと、
前記入力受付ステップにより入力された前記コンテンツ情報、前記コンテンツ集合情報と、所定のコンテンツ情報又はコンテンツ集合情報とを対応付けて、記憶手段に登録するために出力する対応出力ステップと、
前記対応出力ステップによる対応付けにより前記所定のコンテンツ情報又はコンテンツ集合情報を含めて形成されたツリー構造を構成する前記コンテンツ情報、前記コンテンツ集合情報から、該ツリーに含まれる任意のコンテンツ情報又はコンテンツ集合情報を利用者からの要求に基づいて出力するコンテンツ出力ステップと、
を備えたこと特徴とする情報処理方法。
【手続補正２】
【補正対象書類名】明細書
【補正対象項目名】発明の名称
【補正方法】変更
【補正の内容】
【発明の名称】情報処理装置、情報処理方法、及び情報表示装置
【手続補正３】
【補正対象書類名】明細書
【補正対象項目名】０００１
【補正方法】変更
【補正の内容】
【０００１】
本発明は、情報処理装置、情報処理方法、及び情報表示装置に関するものであり、特にコンテンツと、コンテンツを管理するコンテンツ集合を処理して利用者に提供する技術に関するものである。
【手続補正４】
【補正対象書類名】明細書
【補正対象項目名】０００６
【補正方法】変更
【補正の内容】
【０００６】
本発明は、上記に鑑みてなされたものであって、階層構造で管理している情報を利用者に対して容易に提供できる情報処理装置、情報処理方法、及び情報表示装置を提供することを目的とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また、請求項４にかかる発明は、請求項１にかかる発明において、前記入力受付手段は、所定の種類のコンテンツ情報の入力を受け付け、前記対応出力手段は、所定の種類のコンテンツ情報を管理する所定種類コンテンツ集合情報に、前記入力受付手段により受け付けられた前記コンテンツ情報を対応付けて、前記記憶手段に登録するために出力すること、を特徴とする。
【手続補正７】
【補正対象書類名】明細書
【補正対象項目名】００１２
【補正方法】変更
【補正の内容】
【００１２】
また、請求項５にかかる発明は、請求項１にかかる発明において、前記入力受付手段は、さらに、前記対応出力手段により任意のコンテンツ集合情報の子として対応付けられた子コンテンツ集合情報を他のコンテンツ集合情報の子とする移動の入力を受け付け、前記入力受付手段により入力された前記子コンテンツ集合情報を、前記他のコンテンツ集合情報の子とする対応付けを、前記記憶手段に登録するための出力し、前記子コンテンツ集合情報と、前記任意のコンテンツ集合情報との対応付けを削除する要求を出力する移動対応出力手段と、をさらに備えたことを特徴とする。
【手続補正８】
【補正対象書類名】明細書
【補正対象項目名】００１３
【補正方法】変更
【補正の内容】
【００１３】
また、請求項６にかかる発明は、請求項５にかかる発明において、前記移動対応出力手段により前記他のコンテンツ集合情報と、前記子コンテンツ集合情報とを対応付ける場合、前記他のコンテンツ集合情報に対応付けられた所定の情報を、前記子コンテンツ集合情報に対応付けられた所定の情報に、設定する移動情報承継手段と、をさらに備えたことを特徴とする。
【手続補正９】
【補正対象書類名】明細書
【補正対象項目名】００１４
【補正方法】変更
【補正の内容】
【００１４】
また、請求項７にかかる発明は、請求項１乃至６のいずれか一つにかかる発明において、前記コンテンツ情報又は前記コンテンツ集合情報に対応付けられた所定の情報が所定の条件を満足するか否か判断し、該所定の条件を満足する前記所定の情報と対応付けられた前記コンテンツ情報又は前記コンテンツ集合情報を抽出する対応情報抽出手段と、をさらに備え、前記コンテンツ出力手段は、前記対応情報抽出手段により抽出された前記コンテンツ情報又は前記コンテンツ集合情報を出力すること、を特徴とする。
【手続補正１０】
【補正対象書類名】明細書
【補正対象項目名】００１５
【補正方法】変更
【補正の内容】
【００１５】
また、請求項８にかかる発明は、請求項１乃至７のいずれか一つにかかる発明において、前記コンテンツ出力手段は、利用者からの要求により、該利用者に対してアクセスを許可するアクセス権が設定された許可コンテンツ集合情報を出力する際に、該許可コンテンツ集合情報を含めて形成されたツリー構造を構成するコンテンツ集合情報、及び該ツリー構造を構成する該コンテンツ集合情報が管理しているコンテンツ情報のうち少なくとも１つ以上を、該コンテンツ集合情報又は該コンテンツ情報に設定されているアクセス権によらず出力すること、を特徴とする。
【手続補正１１】
【補正対象書類名】明細書
【補正対象項目名】００１６
【補正方法】変更
【補正の内容】
【００１６】
また、請求項９にかかる発明は、請求項８にかかる発明において、前記コンテンツ出力手段は、前記許可コンテンツ集合情報を出力する際に、前記ツリー構造を形成するコンテンツ集合情報であり、前記許可コンテンツ集合情報を基準に所定の範囲の階層に含まれたコンテンツ集合情報、及び所定の範囲の階層に含まれた該コンテンツ集合情報が管理しているコンテンツ情報のうち少なくとも１つ以上を、該コンテンツ集合情報又は該コンテンツ情報に設定されているアクセス権によらず出力すること、を特徴とする。
【手続補正１２】
【補正対象書類名】明細書
【補正対象項目名】００１７
【補正方法】変更
【補正の内容】
【００１７】
また、請求項１０にかかる発明は、請求項１にかかる発明において、コンテンツ集合情報毎に対応付けられた利用者識別情報と、前記対応出力手段によるコンテンツ集合情報間の対応付けにより形成されたツリー構造に基づいて、利用者識別情報により識別される利用者間の対応付けを示した利用者ツリー構造を生成する利用者構造生成手段と、をさらに備えたことを特徴とする。
【手続補正１３】
【補正対象書類名】明細書
【補正対象項目名】００１８
【補正方法】変更
【補正の内容】
【００１８】
また、請求項１１にかかる発明は、請求項１乃至１０のいずれか一つにかかる発明において、利用者により入力された検索条件に基づいて、前記コンテンツ情報及び前記コンテンツ集合情報のうち少なくとも１つ以上を検索する検索手段と、前記コンテンツ出力手段は、さらに前記検索手段により検索された前記コンテンツ情報及び前記コンテンツ集合情報を出力する際、前記対応出力手段による対応付けで、検索された前記コンテンツ情報又はコンテンツ集合情報を含めて形成されたツリー構造を構成する前記コンテンツ情報、前記コンテンツ集合情報から任意の情報を取得して出力すること、を特徴とする。
【手続補正１４】
【補正対象書類名】明細書
【補正対象項目名】００１９
【補正方法】変更
【補正の内容】
【００１９】
また、請求項１２にかかる発明は、請求項１１にかかる発明において、前記検索手段は、さらに所定のコンテンツ集合情報及び所定のコンテンツ集合情報が管理しているコンテンツ情報から検索条件を抽出し、抽出した該検索条件で前記コンテンツ情報及びコンテンツ集合情報のうちすくなくとも１つ以上を検索すること、を特徴とする。
【手続補正１５】
【補正対象書類名】明細書
【補正対象項目名】００２０
【補正方法】変更
【補正の内容】
【００２０】
また、請求項１３にかかる発明は、請求項１１または１２にかかる発明において、前記コンテンツ出力手段は、前記検索手段により検索された前記コンテンツ情報及びコンテンツ集合情報を出力する際、前記対応出力手段による対応付けで、検索された前記コンテンツ情報、前記コンテンツ集合情報を含めて形成されたツリー構造を構成する前記コンテンツ情報、前記コンテンツ集合情報のうち、利用者のアクセスの許可が設定されているコンテンツ情報及びコンテンツ集合情報の少なくとも１つ以上を出力すること、を特徴とする。
【手続補正１６】
【補正対象書類名】明細書
【補正対象項目名】００２１
【補正方法】変更
【補正の内容】
【００２１】
また、請求項１４にかかる発明は、請求項１にかかる発明において、前記コンテンツ出力手段は、前記コンテンツ情報及び前記コンテンツ集合情報が保持している、前記コンテンツ情報又は前記コンテンツ集合情報を生成した利用者を識別する生成者識別情報、又は前記コンテンツ情報又は前記コンテンツ集合情報に対応する所定の処理を行う対象となる利用者を識別する処理者識別情報が、前記コンテンツ情報及び前記コンテンツ集合情報の取得を要求した利用者を識別する利用者識別情報と一致した場合、一致した前記コンテンツ情報及び前記コンテンツ集合情報を出力すること、を特徴とする。
【手続補正１７】
【補正対象書類名】明細書
【補正対象項目名】００２２
【補正方法】変更
【補正の内容】
【００２２】
また、請求項１５にかかる発明は、請求項１にかかる発明において、前記対応出力手段による対応付けで、前記所定のコンテンツ集合情報を含めて形成されたツリー構造を構成する各前記コンテンツ集合情報に対応付けられた所定の情報として保持される値を集計し、集計された異なる値毎のカウント数を取得する集計ステップと、をさらに備え、前記コンテンツ出力手段は、さらに前記集計手段により取得した異なる値毎のカウント数を出力すること、を特徴とする。
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】変更
【補正の内容】
【００２４】
また、請求項１６にかかる発明は、請求項１にかかる発明において、利用者識別情報と、更新された日時と、更新されたコンテンツ情報又はコンテンツ集合情報を識別する識別情報を対応付けた利用者更新対応情報から、所定の期間内に更新されたコンテンツ情報毎及びコンテンツ集合情報毎のどちらか１つ以上の更新頻度を抽出する更新頻度抽出手段と、をさらに備え、前記コンテンツ出力手段は、前記更新頻度抽出手段により抽出された前記更新頻度が所定の基準を満足した場合、該所定の基準を満足した更新頻度に対応する前記コンテンツ情報及び前記コンテンツ集合情報のうちどちらか１つ以上を取得すること、を特徴とする。
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】変更
【補正の内容】
【００２７】
また、請求項１７にかかる発明は、請求項１にかかる発明において、利用者が指定した前記コンテンツ情報及びコンテンツ集合情報のうち少なくとも１つ以上を、監視する対象を管理する監視コンテンツ集合情報に、登録する登録手段と、前記登録手段により登録された前記監視コンテンツ集合情報が管理している前記コンテンツ情報又は前記コンテンツ集合情報に対応付けられた所定の情報の更新を検出する監視手段と、を備え、前記コンテンツ出力手段は、前記監視手段により前記コンテンツ情報又は前記コンテンツ集合情報に対応付けられた所定の情報の更新を検出した場合、更新を検出した所定の情報に対応付けられたコンテンツ情報又はコンテンツ集合情報を出力すること、を特徴とする。
【手続補正２３】
【補正対象書類名】明細書
【補正対象項目名】００２８
【補正方法】変更
【補正の内容】
【００２８】
また、請求項１８にかかる発明は、請求項１にかかる発明において、利用者により入力された検索条件を登録する条件登録手段と、所定期間毎に、前記条件登録手段により登録された前記登録条件で、コンテンツ情報、コンテンツ集合情報のうち少なくとも１つ以上を検索する定期検索手段と、をさらに備えたことを特徴とする。
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】変更
【補正の内容】
【００３０】
また、請求項１９にかかる発明は、情報処理装置からコンテンツ情報、コンテンツ情報
を階層構造で管理するコンテンツ集合情報と、該コンテンツ集合情報間の階層構造を入力処理する入力処理手段と、前記入力処理手段により入力された前記コンテンツ情報、前記コンテンツ集合情報を、前記コンテンツ情報及び前記コンテンツ集合情報を階層構造表示する表示処理手段と、を備えたことを特徴とする。
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】変更
【補正の内容】
【００３８】
また、請求項２０にかかる発明は、コンテンツを保持するコンテンツ情報と、コンテンツ情報の集合を階層構造で管理するコンテンツ集合情報とを処理する情報処理方法において、コンテンツ情報、又はコンテンツ集合情報間の関連付けにより階層構造を形成可能なコンテンツ集合情報の入力を受け付ける入力受付ステップと、前記入力受付ステップにより入力された前記コンテンツ情報、前記コンテンツ集合情報と、所定のコンテンツ情報又はコンテンツ集合情報とを対応付けて、記憶手段に登録するために出力する対応出力ステップと、前記対応出力ステップによる対応付けにより前記所定のコンテンツ情報又はコンテンツ集合情報を含めて形成されたツリー構造を構成する前記コンテンツ情報、前記コンテンツ集合情報から、該ツリーに含まれる任意のコンテンツ情報又はコンテンツ集合情報を利用者からの要求に基づいて出力するコンテンツ出力ステップと、を備えたこと特徴とする。
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】削除
【補正の内容】
【手続補正４２】
【補正対象書類名】明細書
【補正対象項目名】００４７
【補正方法】削除
【補正の内容】
【手続補正４３】
【補正対象書類名】明細書
【補正対象項目名】００４８
【補正方法】削除
【補正の内容】
【手続補正４４】
【補正対象書類名】明細書
【補正対象項目名】００４９
【補正方法】削除
【補正の内容】
【手続補正４５】
【補正対象書類名】明細書
【補正対象項目名】００５０
【補正方法】削除
【補正の内容】
【手続補正４６】
【補正対象書類名】明細書
【補正対象項目名】００５１
【補正方法】削除
【補正の内容】
【手続補正４７】
【補正対象書類名】明細書
【補正対象項目名】００５２
【補正方法】削除
【補正の内容】
【手続補正４８】
【補正対象書類名】明細書
【補正対象項目名】００５３
【補正方法】削除
【補正の内容】
【手続補正４９】
【補正対象書類名】明細書
【補正対象項目名】００５４
【補正方法】削除
【補正の内容】
【手続補正５０】
【補正対象書類名】明細書
【補正対象項目名】００５５
【補正方法】削除
【補正の内容】
【手続補正５１】
【補正対象書類名】明細書
【補正対象項目名】００５６
【補正方法】削除
【補正の内容】
【手続補正５２】
【補正対象書類名】明細書
【補正対象項目名】００５７
【補正方法】削除
【補正の内容】
【手続補正５３】
【補正対象書類名】明細書
【補正対象項目名】００５８
【補正方法】削除
【補正の内容】
【手続補正５４】
【補正対象書類名】明細書
【補正対象項目名】００５９
【補正方法】削除
【補正の内容】
【手続補正５５】
【補正対象書類名】明細書
【補正対象項目名】００６０
【補正方法】削除
【補正の内容】
【手続補正５６】
【補正対象書類名】明細書
【補正対象項目名】００６１
【補正方法】削除
【補正の内容】
【手続補正５７】
【補正対象書類名】明細書
【補正対象項目名】００６２
【補正方法】削除
【補正の内容】
【手続補正５８】
【補正対象書類名】明細書
【補正対象項目名】００６３
【補正方法】削除
【補正の内容】
【手続補正５９】
【補正対象書類名】明細書
【補正対象項目名】００６４
【補正方法】削除
【補正の内容】
【手続補正６０】
【補正対象書類名】明細書
【補正対象項目名】００６５
【補正方法】削除
【補正の内容】
【手続補正６１】
【補正対象書類名】明細書
【補正対象項目名】００６６
【補正方法】削除
【補正の内容】
【手続補正６２】
【補正対象書類名】明細書
【補正対象項目名】００６７
【補正方法】削除
【補正の内容】
【手続補正６３】
【補正対象書類名】明細書
【補正対象項目名】００６８
【補正方法】削除
【補正の内容】
【手続補正６４】
【補正対象書類名】明細書
【補正対象項目名】００６９
【補正方法】削除
【補正の内容】
【手続補正６５】
【補正対象書類名】明細書
【補正対象項目名】００７０
【補正方法】削除
【補正の内容】
【手続補正６６】
【補正対象書類名】明細書
【補正対象項目名】００７４
【補正方法】削除
【補正の内容】
【手続補正６７】
【補正対象書類名】明細書
【補正対象項目名】００７５
【補正方法】変更
【補正の内容】
【００７５】
また、請求項４にかかる発明によれば、所定の種類のコンテンツ情報を、所定種類コンテンツ集合情報に登録することを可能としたので、利用者の要求に応じて所定の種類のコンテンツ情報に含まれている情報を容易に提供できるという効果を奏する。
【手続補正６８】
【補正対象書類名】明細書
【補正対象項目名】００７６
【補正方法】変更
【補正の内容】
【００７６】
また、請求項５にかかる発明によれば、階層構造として保持されているコンテンツ集合情報の位置を変更できることしたため、利便性が向上するという効果を奏する。
【手続補正６９】
【補正対象書類名】明細書
【補正対象項目名】００７７
【補正方法】変更
【補正の内容】
【００７７】
また、請求項６にかかる発明によれば、階層構造として保持されているコンテンツ集合情報の位置を変更した際に所定の情報を承継することとしたため情報の整合性をとるのが容易になるという効果を奏する。
【手続補正７０】
【補正対象書類名】明細書
【補正対象項目名】００７８
【補正方法】変更
【補正の内容】
【００７８】
また、請求項７にかかる発明によれば、所定の条件を満足したコンテンツ情報又はコンテンツ集合情報を抽出可能となったので、利用者の要求に応じてコンテンツ情報及びコンテンツ集合情報のどちらか１つ以上に含まれている情報を容易に提供できるという効果を奏する。
【手続補正７１】
【補正対象書類名】明細書
【補正対象項目名】００７９
【補正方法】変更
【補正の内容】
【００７９】
また、請求項８にかかる発明によれば、アクセス権によらず出力を可能としたので、利用者の要求に応じてコンテンツ情報及びコンテンツ集合情報のどちらか１つ以上に含まれている情報を容易に提供できるという効果を奏する。
【手続補正７２】
【補正対象書類名】明細書
【補正対象項目名】００８０
【補正方法】変更
【補正の内容】
【００８０】
また、請求項９にかかる発明によれば、アクセス権によらず出力可能とした範囲を定めたことで、利用者の要求に応じてコンテンツ情報及びコンテンツ集合情報のどちらか１つ以上に含まれている情報を容易に提供できるとともに利用者の関係の低い情報の閲覧を遮蔽することで安全性が向上するという効果を奏する。
【手続補正７３】
【補正対象書類名】明細書
【補正対象項目名】００８１
【補正方法】変更
【補正の内容】
【００８１】
また、請求項１０にかかる発明によれば、利用者ツリー構造を生成することで、利用者は、他の利用者間の関係を把握できるという効果を奏する。
【手続補正７４】
【補正対象書類名】明細書
【補正対象項目名】００８２
【補正方法】変更
【補正の内容】
【００８２】
また、請求項１１にかかる発明によれば、所定の条件に基づいて検索されたコンテンツ情報及びコンテンツ集合情報と共に、ツリー構造に含まれているコンテンツ情報及びコンテンツ集合情報を出力できるので、関連している情報が出力されることとなり、利便性が向上するという効果を奏する。
【手続補正７５】
【補正対象書類名】明細書
【補正対象項目名】００８３
【補正方法】変更
【補正の内容】
【００８３】
また、請求項１２にかかる発明によれば、利用者が入力せずとも、検索条件を抽出し、抽出された検索条件で検索を行うことで利便性が向上するという効果を奏する。
【手続補正７６】
【補正対象書類名】明細書
【補正対象項目名】００８４
【補正方法】変更
【補正の内容】
【００８４】
また、請求項１３にかかる発明によれば、所定の条件に基づいて検索されたコンテンツ情報及びコンテンツ集合情報と共に、出力可能なツリー構造に含まれているコンテンツ情報及びコンテンツ集合情報をアクセス権により制御できるので安全性が向上するという効果を奏する。
【手続補正７７】
【補正対象書類名】明細書
【補正対象項目名】００８５
【補正方法】変更
【補正の内容】
【００８５】
また、請求項１４にかかる発明によれば、作成者又は処理を行う対象となる利用者に対してコンテンツ情報又はコンテンツ集合情報の出力を可能としたので、利用者の要求に応じてコンテンツ情報及びコンテンツ集合情報のどちらか１つ以上に含まれている情報を容易に提供できるという効果を奏する。
【手続補正７８】
【補正対象書類名】明細書
【補正対象項目名】００８６
【補正方法】変更
【補正の内容】
【００８６】
また、請求項１５にかかる発明によれば、出力する際に所定の情報において子となる値毎にカウント数を出力することで、利用者の要求に応じた情報を容易に提供できるという効果を奏する。
【手続補正７９】
【補正対象書類名】明細書
【補正対象項目名】００８７
【補正方法】削除
【補正の内容】
【手続補正８０】
【補正対象書類名】明細書
【補正対象項目名】００８８
【補正方法】変更
【補正の内容】
【００８８】
また、請求項１６にかかる発明によれば、更新頻度に応じてコンテンツ情報及びコンテンツ集合情報のどちらか１つ以上を出力できるので、利用者が当該コンテンツの更新状況を把握できるという効果を奏する。
【手続補正８１】
【補正対象書類名】明細書
【補正対象項目名】００８９
【補正方法】削除
【補正の内容】
【手続補正８２】
【補正対象書類名】明細書
【補正対象項目名】００９０
【補正方法】削除
【補正の内容】
【手続補正８３】
【補正対象書類名】明細書
【補正対象項目名】００９１
【補正方法】変更
【補正の内容】
【００９１】
また、請求項１７にかかる発明によれば、監視の対象としてコンテンツ情報又はコンテンツ集合情報を指定して、指定されたコンテンツ情報又はコンテンツ集合情報で変更を検出した場合に、変更を検出したコンテンツ情報又はコンテンツ集合情報を出力することで、利用者が変更されたコンテンツ情報又はコンテンツ集合情報を把握できるという効果を奏する。
【手続補正８４】
【補正対象書類名】明細書
【補正対象項目名】００９２
【補正方法】変更
【補正の内容】
【００９２】
また、請求項１８にかかる発明によれば、利用者により入力された検索条件に基づいて
定期的に検索することで、検索条件に合致するコンテンツ情報又はコンテンツ集合情報が追加された場合に、利用者が追加されたコンテンツ情報又はコンテンツ集合情報を把握できるという効果を奏する。
【手続補正８５】
【補正対象書類名】明細書
【補正対象項目名】００９３
【補正方法】削除
【補正の内容】
【手続補正８６】
【補正対象書類名】明細書
【補正対象項目名】００９４
【補正方法】変更
【補正の内容】
【００９４】
また、請求項１９にかかる発明によれば、コンテンツ情報及びコンテンツ集合情報を階層構造で表示することで、利用者はコンテンツ情報又はコンテンツ集合情報の関係を容易に把握できるという効果を奏する。
【手続補正８７】
【補正対象書類名】明細書
【補正対象項目名】００９５
【補正方法】削除
【補正の内容】
【手続補正８８】
【補正対象書類名】明細書
【補正対象項目名】００９６
【補正方法】削除
【補正の内容】
【手続補正８９】
【補正対象書類名】明細書
【補正対象項目名】００９７
【補正方法】削除
【補正の内容】
【手続補正９０】
【補正対象書類名】明細書
【補正対象項目名】００９８
【補正方法】削除
【補正の内容】
【手続補正９１】
【補正対象書類名】明細書
【補正対象項目名】００９９
【補正方法】削除
【補正の内容】
【手続補正９２】
【補正対象書類名】明細書
【補正対象項目名】０１００
【補正方法】削除
【補正の内容】
【手続補正９３】
【補正対象書類名】明細書
【補正対象項目名】０１０１
【補正方法】削除
【補正の内容】
【手続補正９４】
【補正対象書類名】明細書
【補正対象項目名】０１０２
【補正方法】変更
【補正の内容】
【０１０２】
また、請求項２０にかかる発明によれば、コンテンツ情報、コンテンツ集合情報について対応付けて登録することで、コンテンツ集合を階層構造で管理しているコンテンツ集合が階層構造で管理されている場合に、利用者の要求に応じてコンテンツ情報及びコンテンツ集合情報のどちらか１つ以上に含まれている情報を容易に提供できるという効果を奏する。
【手続補正９５】
【補正対象書類名】明細書
【補正対象項目名】０１０３
【補正方法】削除
【補正の内容】
【手続補正９６】
【補正対象書類名】明細書
【補正対象項目名】０１０４
【補正方法】削除
【補正の内容】
【手続補正９７】
【補正対象書類名】明細書
【補正対象項目名】０１０５
【補正方法】削除
【補正の内容】
【手続補正９８】
【補正対象書類名】明細書
【補正対象項目名】０１０６
【補正方法】削除
【補正の内容】
【手続補正９９】
【補正対象書類名】明細書
【補正対象項目名】０１０７
【補正方法】削除
【補正の内容】
【手続補正１００】
【補正対象書類名】明細書
【補正対象項目名】０１０８
【補正方法】削除
【補正の内容】
【手続補正１０１】
【補正対象書類名】明細書
【補正対象項目名】０１０９
【補正方法】削除
【補正の内容】
【手続補正１０２】
【補正対象書類名】明細書
【補正対象項目名】０１１０
【補正方法】削除
【補正の内容】
【手続補正１０３】
【補正対象書類名】明細書
【補正対象項目名】０１１１
【補正方法】削除
【補正の内容】
【手続補正１０４】
【補正対象書類名】明細書
【補正対象項目名】０１１２
【補正方法】削除
【補正の内容】
【手続補正１０５】
【補正対象書類名】明細書
【補正対象項目名】０１１３
【補正方法】削除
【補正の内容】
【手続補正１０６】
【補正対象書類名】明細書
【補正対象項目名】０１１４
【補正方法】削除
【補正の内容】
【手続補正１０７】
【補正対象書類名】明細書
【補正対象項目名】０１１５
【補正方法】削除
【補正の内容】
【手続補正１０８】
【補正対象書類名】明細書
【補正対象項目名】０１１６
【補正方法】削除
【補正の内容】
【手続補正１０９】
【補正対象書類名】明細書
【補正対象項目名】０１１７
【補正方法】削除
【補正の内容】
【手続補正１１０】
【補正対象書類名】明細書
【補正対象項目名】０１１８
【補正方法】削除
【補正の内容】
【手続補正１１１】
【補正対象書類名】明細書
【補正対象項目名】０１１９
【補正方法】削除
【補正の内容】
【手続補正１１２】
【補正対象書類名】明細書
【補正対象項目名】０１２０
【補正方法】削除
【補正の内容】
【手続補正１１３】
【補正対象書類名】明細書
【補正対象項目名】０１２１
【補正方法】削除
【補正の内容】
【手続補正１１４】
【補正対象書類名】明細書
【補正対象項目名】０１２２
【補正方法】削除
【補正の内容】
【手続補正１１５】
【補正対象書類名】明細書
【補正対象項目名】０１２３
【補正方法】削除
【補正の内容】
【手続補正１１６】
【補正対象書類名】明細書
【補正対象項目名】０１２４
【補正方法】削除
【補正の内容】
【手続補正１１７】
【補正対象書類名】明細書
【補正対象項目名】０１２５
【補正方法】削除
【補正の内容】
【手続補正１１８】
【補正対象書類名】明細書
【補正対象項目名】０１２６
【補正方法】削除
【補正の内容】
【手続補正１１９】
【補正対象書類名】明細書
【補正対象項目名】０１２７
【補正方法】削除
【補正の内容】
【手続補正１２０】
【補正対象書類名】明細書
【補正対象項目名】０１２８
【補正方法】削除
【補正の内容】
【手続補正１２１】
【補正対象書類名】明細書
【補正対象項目名】０１２９
【補正方法】削除
【補正の内容】
【手続補正１２２】
【補正対象書類名】明細書
【補正対象項目名】０１３０
【補正方法】削除
【補正の内容】
【手続補正１２３】
【補正対象書類名】明細書
【補正対象項目名】０１３１
【補正方法】削除
【補正の内容】
【手続補正１２４】
【補正対象書類名】明細書
【補正対象項目名】０１３２
【補正方法】削除
【補正の内容】
【手続補正１２５】
【補正対象書類名】明細書
【補正対象項目名】０１３３
【補正方法】削除
【補正の内容】
【手続補正１２６】
【補正対象書類名】明細書
【補正対象項目名】０１３４
【補正方法】削除
【補正の内容】
【手続補正１２７】
【補正対象書類名】明細書
【補正対象項目名】０１３５
【補正方法】変更
【補正の内容】
【０１３５】
以下に添付図面を参照して、この発明にかかる情報処理装置、情報処理方法、及び情報表示装置の最良な実施の形態を詳細に説明する。
【手続補正１２８】
【補正対象書類名】明細書
【補正対象項目名】０６７４
【補正方法】変更
【補正の内容】
【０６７４】
以上のように、本発明にかかる情報処理装置、情報処理方法、及び情報表示装置は、コンテンツと、コンテンツを管理するコンテンツ集合を処理して利用者に提供する技術に有用であり、特に、事業として行われているプロジェクトで発生した情報を複数の利用者に対して提供する技術に適している。